(57)【特許請求の範囲】
【請求項１】
穿孔線によって長手方向に分割された複数の個々シートを有する巻かれた紙を含み、
前記巻かれた紙は、所定の数の連続する前記個々のシート毎に反復図形パターンを含み、
前記反復図形パターンは、所定の大きな大きさの目標物体と、ロールが解かれる時に前記目標物体に誘導する一連の小さな大きさの手掛かり物体との２種類の形状の物体からなり、
前記目標物体の大きさと前記手掛かり物体の大きさの比が、３：１から５０：１である
ことを特徴とするトイレットペーパのロール。
【請求項２】
穿孔線によって長手方向に分割された複数の個々シートを有する巻かれた紙を含み、
前記巻かれた紙は、所定の数の連続する前記個々のシート毎に反復図形パターンを含み、
前記反復図形パターンは、所定の大きな大きさの目標物体と、ロールが解かれる時に前記目標物体に誘導する一連の小さな大きさの手掛かり物体との２種類の形状の物体からなり、
前記手掛かり物体と前記目標物体の形状の組み合わせは、足跡と動物、足跡と犬、足跡とクマ、スイレンの葉とカエル又はカメ、泡と魚、花びら又は葉と花束、ハートと王女、及び杖を備えた王冠と王女の組み合わせからなる群から選択されることを特徴とするトイレットペーパのロール。
【請求項３】
前記手掛かり物体のシートの数は、３以上であることを特徴とする請求項１又は２に記載のトイレとペーパのロール。
【請求項４】
前記手掛かり物体のシートの数は、３から９であることを特徴とする請求項３に記載のトイレットペーパのロール。
【請求項５】
前記手掛かり物体のシートの数は、３から７であることを特徴とする請求項３に記載のトイレットペーパのロール。
【請求項６】
前記手掛かり物体のシートの数は、４から６であることを特徴とする請求項３に記載のトイレットペーパのロール。
【請求項７】
前記一連の小さな大きさの手掛かり物体は、約２５センチメートルから約１０２センチメートル（約１０から約４０インチ）の長さを有することを特徴とする請求項１又は２に記載のトイレットペーパのロール。
【請求項８】
前記一連の小さな大きさの手掛かり物体は、約３０センチメートルから約７６センチメートル（約１２から約３０インチ）の長さを有することを特徴とする請求項１又は２に記載のトイレットペーパのロール。
【請求項９】
前記一連の小さな大きさの手掛かり物体は、約３８センチメートルから約６４センチメートル（約１５から約２５インチ）の長さを有することを特徴とする請求項１又は２に記載のトイレットペーパのロール。
【請求項１０】
前記目標物体の大きさと前記手掛かり物体の大きさとの比が、約３：１から約５０：１であることを特徴とする請求項２に記載のトイレットペーパのロール。
【請求項１１】
前記手掛かり物体の大きさが、約０．５から約２０平方センチメートルであることを特徴とする請求項１又は２に記載のトイレットペーパのロール。
【請求項１２】
前記図形反復パターンにおける前記手掛かり物体の数が、約５から約２５であることを特徴とする請求項１又は２に記載のトイレットペーパのロール。
【請求項１３】
前記目標物体の大きさが、約１５から約９０平方センチメートルであることを特徴とする請求項１又は２に記載のトイレットペーパのロール。
【請求項１４】
前記手掛かり物体の形状は、動物の足跡であることを特徴とする請求項１に記載のトイレットペーパのロール。
【請求項１５】
前記目標物体の形状は、動物であることを特徴とする請求項１に記載のトイレットペーパのロール。
【請求項１６】
前記目標物体の形状は、犬、カエル、クマ、王女、及び花束からなる群から選択されることを特徴とする請求項１に記載のトイレットペーパのロール。
【発明の詳細な説明】
【背景技術】
【０００１】
幼児の親は、その子の過剰な又は過少なトイレットペーパの使用に苛立つことが多い。過剰なトイレットペーパの使用は、お金の浪費にも潜在的にトイレを詰まらせる結果にもなる。過剰なトイレットペーパの使用はまた、子供が大きな束のトイレットペーパを有効な清浄化のためにそれを配置する必要がある箇所に適合させることができないので、彼らが彼ら自身を適正に洗浄することができないという結果をもたらす可能性がある。これは、下着に筋状の汚れをもたらし、親にとって洗濯時間をより困難なものにする可能性がある。過少なトイレットペーパの使用は、子供の手を汚し、子供が他の品目に触れる場合には不衛生なトイレ状態に陥り、並びに下着の筋状の汚れを引き起こす結果をもたらす可能性がある。更に、子供もまた、その親が彼らに特定量を使用するように言う時に正しい量のトイレットペーパを得る方法が分らないので、苛立って自信を喪失する可能性がある。
子供に乾いたトイレットペーパを計量する方法を教えることができる多くの方法がある。しかし、これらの多くは、それを幼児に対して直感的であるが同時に年長児及び成人に対しても魅力的にする重要な要素の多くを欠いている。
【発明の開示】
【０００２】
子供（及び、使用する正しい量のトイレットペーパの視覚的喚起を必要とする場合がある他人の可能性がある）が、トイレットペーパの正しい量を取り出す手助けになる図的手段が本発明で見出され、それは、（１）広い年齢層に非常に直感的であり、（２）良好な清浄化のためのトイレットペーパの適正量を一定して送出し、かつ（３）親及び子供に対して美的に楽しいものである。
従って、１つの態様において、本発明は、複数の離間した穿孔線を有するある一定の長さの巻かれた紙を含むトイレットペーパのロールにあり、この巻かれた紙は、ロールが解かれる時に比較的大きな目標物体に導く一連の比較的小さな手掛かり物体を含む反復する図形パターンを含んでいる。適切な態様においては、複数の離間した穿孔線は、トイレットペーパのロールに典型的に見られる大きさの巻かれた紙内に個々のシートを形成する。通常は、トイレットペーパの典型的なシートの長さは、約４インチである。しかし、本発明の目的に対しては、穿孔線は、１回の拭き取りに用いられるように意図する紙の長さまでのあらゆる距離だけ離間させることができる。使用時には、子供又は他の使用者は、トイレットペーパのロールを解いて目標物体が露出されるまで手掛かり物体を辿り、次に、切り離されるトイレットペーパの長さが基本的に約１反復長の図形パターンを含むように、目標物体で又は好ましくはそれをちょうど超えた何らかの点で紙を破る。図形パターンの反復長は、１回の拭き取りに用いられるトイレットペーパの大体の適正量であるように設計される。排尿の場合よりも排便での可能性が高い複数の拭き取りが必要な場合には、図形パターンは、各拭き取りに対して適正量であるように設計される。反復する図形パターンは、穿孔線に合わせる必要はないが、必要に応じてそれは可能である。穿孔線が目標物体を通って延びるトイレットペーパの所定のロール内の事例の数は重要ではなく、目標物体の大きさ及び個々のシートの大きさによってある程度制御することができる。
【０００３】
本発明の利点は、以下の１つ又はそれよりも多くを含むことができる。
１）大きさの変化は、子供が彼らの目標に到達したことの彼らに対する強力な視覚的指標である。物体全てが同じ大きさである図形を提供することも適正な使用量を伝える目的に役立つ可能性もあるが、それは、特に幼児に対してそれほど直感的ではないと考えられる。
２）個人が探しているものについて小さなヒントを含むことは、取り出すのに楽しいゲーム感覚を付加し、子供を「探偵」にするゲーム及びパズルに引き込まれる彼らの関心を引く強力な方法である。本発明によって、子供は、図形デザインに基づいて非常に容易に終端を定めることができる。小さな手掛かり物体の数は、目標とする年齢群に対するトイレットペーパの適量に基づいて追加及び削除することができる。
【０００４】
３）全ての子供（特に幼児）が、数、文字、色、又は動物を識別することができるわけではない。しかし、物体の大きさの視覚的変化の検出及び／又はパズル解きとの組合せは、子供にとって理解及び識別するのがより容易である。
４）シートの大部分に対するより小さな画像の使用は、必要とされるインク量を低減する。皮膚に接触することになるインク量による製品の安全性に関する親の心配は、より小さな画像に必要とされるインクの低減された量によって軽減される。より小さな画像の使用により、トイレットペーパの連続印刷も可能になり、大きな区域の印刷されていないティッシュよりも鮮明な色彩豊かな印刷を好む子供に対して魅力を増す。更に、より小さな画像の使用は、必要とするインクが少ないので製造費用を低減する。このパターンは、多くの色／パターンの中に紛れ込まないので、それは、より視覚的に目立つものである。
【０００５】
５）本発明による図形により、より美的に楽しい製品が可能になる。親は、多量のインクが染み込み、かつそれが「子供用製品」であると宣伝する製品を使いたくないことを示唆している。トイレットペーパロール上にそれがディスペンサに収まった時に現れる泡又は花びらのような小さな物体は、大きな印刷物体よりも遙かに繊細であり、年長児が使用する時の恥ずかしさを最小にする。トイレットペーパロールは、年長児には「赤ちゃん」製品としてではなく、ゲームとして魅力がある。
６）図形は、有効であることをシートの穿孔の位置には頼らない。子供は、大きな目標物体の上方の次の最も近い穿孔線で破って、毎回正しい量のトイレットペーパを一定して測定することができる。
【０００６】
小さな手掛かり物体及び比較的大きな目標物体は、好ましくは、関連する内容のものである。例えば、小さな手掛かり物体と比較的大きな目標物体の具体的な組合せは、それぞれ、以下に限定されるものではないが、足跡及び動物（漫画風動物を含む）、足跡と子犬のような犬、足跡とクマ、スイレンの葉とカエル又はカメ、泡と魚、花びら又は葉と花束、ハートと王女、及び杖を備えた王冠と王女などを含む。小さな手掛かり物体は、全て同じであるか又は互いに何らかの方法で異なっていることができる。例えば、一部の小さな手掛かり物体は、他よりも大きくすることができ、あるものは、異なる向きにすることができ、又はあるものは、全く異なる物体にすることができる。
【０００７】
手掛かり物体の大きさは、紙の巻かれた長さを破る箇所を子供に明確にするために目標物体よりも著しく小さい。手掛かり物体が足跡である本発明の実施形態では、その大きさは、目標物体の動物又はキャラクターの足の大きさと同様にすることができる。代替的に又は手掛かり物体及び目標物体がこのような直接的な内容相関を持たない他の実施形態では、相対的な大きさは、任意とすることができる。定量的には、以下に限定されるものではないが、物体の周囲内の表面積をそれらの大きさの尺度として用いると、手掛かり物体の大きさに対する目標物体の大きさの比は、約３：１から約５０：１、より具体的には、約１０：１から約４０：１、更に具体的には、約２０：１から約４０：１とすることができる。
手掛かり物体の大きさは、その周囲内の表面積によって測定される時に、約０．５から約２０平方センチメートル、より具体的には、約０．５から約７平方センチメートル、更に具体的には、約１から約４平方センチメートルとすることができる。
【０００８】
図形反復パターンにおける手掛かり物体の数は、約５から約２５又はそれ多く、より具体的には、約１０から約２５、更に具体的には、約１５から約２０とすることができる。手掛かり物体の数が少なすぎるか又は多すぎる場合、それらは、目標物体への「誘導」への関与又は効果を喪失する可能性がある。有利な態様においては、各図形反復パターン内の一連の小さな手掛かり物体は、３から９枚の個々のシート、より具体的には、３から７枚の個々のシート、更に具体的には、４から６枚の個々のシートを占める。換言すると、一連の比較的小さな手掛かり物体は、約１０から約４０インチ、より具体的には、約１２から約３０インチ、更に具体的には、約１５から約２５インチの長さを有する。
【０００９】
目標物体の大きさは、同じくその周囲内の表面積によって測定する時に、約１５から約９０平方センチメートル、より具体的には、約２０から約７５平方センチメートル、更に具体的には、約２５から約５０平方センチメートル、更に具体的には、約３０から約４５平方センチメートルとすることができる。目標物体の大きさは、個々のシートの大きさよりも小さくなければならない。
図形反復パターンは、グラビア印刷によるなどのティッシュ製造の当業者に公知のあらゆる適切な方法でトイレットペーパに適用することができる。図形は、多色とすることができる。手掛かり物体の色は、目標物体の色と同じか又は異なっていることができる。適切な態様においては、目標物体は、その魅力を強調するためにより多くの色を有する場合がある。
【発明を実施するための最良の形態】
【００１０】
図１は、手掛かり物体が子犬の足跡であり、目標物体が救命浮き輪をつけた子犬である４シートのトイレットペーパを示している。子犬の足跡の各々の面積は、約１．５平方センチメートルであり、子犬の目標物体の面積は、約３６平方センチメートルである。
図２は、手掛かり物体が子犬の足跡であり、目標物体がビーチボールと一緒の子犬である４シートのトイレットペーパを示している。子犬の足跡の各々の面積は、約１．５平方センチメートルであり、目標物体の面積は、約４２平方センチメートルである。
【００１１】
図３は、手掛かり物体が子犬の足跡であり、目標物体が砂の城と一緒の子犬である４シートのトイレットペーパを示している。子犬の足跡の各々の面積は、約１．５平方センチメートルであり、目標物体の面積は、約３６平方センチメートルである。
図４は、手掛かり物体が子犬の足跡であり、目標物体が生活宝箱と一緒の子犬である４シートのトイレットペーパを示している。子犬の足跡の各々の面積は、約１．５平方センチメートルであり、目標物体の面積は、約３９平方センチメートルである。
【００１２】
図５は、手掛かり物体が子犬の足跡であり、目標物体がサーフボードと一緒の子犬である４シートのトイレットペーパを示している。子犬の足跡の各々の面積は、約１．５平方センチメートルであり、目標物体の面積は、約４５平方センチメートルである。
図６は、手掛かり物体が子犬の足跡であり、目標物体がシュノーケル及び足ヒレを付けた子犬である４シートのトイレットペーパを示している。子犬の足跡の各々の面積は、約１．５平方センチメートルであり、目標物体の面積は、約４２平方センチメートルである。
【００１３】
図７は、手掛かり物体が濡れた足ヒレの足跡であり、目標物体がシュノーケル及び足ヒレを付けた子犬である４シートのトイレットペーパを示している。手掛かり物体の各々の面積は、約６平方センチメートルであり、子犬目標物体の面積は、約４２平方センチメートルである。
図８は、手掛かり物体が子犬の足跡であり、目標物体が葉を背景にする子犬である４シートのトイレットペーパを示している。子犬の足跡の各々の面積は、約１．５平方センチメートルであり、目標物体の面積は、約３０平方センチメートルである。
上述の説明及び実施例は、例示のみを目的とし、特許請求の範囲によって規定される本発明の範囲を制限するように解釈されないものとすることが認められるであろう。
【図面の簡単な説明】
【００１４】
【図１】目標物体に誘導する複数の手掛かり物体を示し、図中の離間した穿孔線が破線によって表され、特に約４．５インチ幅の個々のシート及び約４インチの個々のシート長（穿孔線の間の距離）を有するトイレットペーパを表し、シート内の様々な図形要素の大きさが一定の縮尺である、本発明による様々な実施形態に対する図形パターンの例を示す図である。
【図２】目標物体に誘導する複数の手掛かり物体を示し、図中の離間した穿孔線が破線によって表され、特に約４．５インチ幅の個々のシート及び約４インチの個々のシート長（穿孔線の間の距離）を有するトイレットペーパを表し、シート内の様々な図形要素の大きさが一定の縮尺である、本発明による様々な実施形態に対する図形パターンの例を示す図である。
【図３】目標物体に誘導する複数の手掛かり物体を示し、図中の離間した穿孔線が破線によって表され、特に約４．５インチ幅の個々のシート及び約４インチの個々のシート長（穿孔線の間の距離）を有するトイレットペーパを表し、シート内の様々な図形要素の大きさが一定の縮尺である、本発明による様々な実施形態に対する図形パターンの例を示す図である。
【図４】目標物体に誘導する複数の手掛かり物体を示し、図中の離間した穿孔線が破線によって表され、特に約４．５インチ幅の個々のシート及び約４インチの個々のシート長（穿孔線の間の距離）を有するトイレットペーパを表し、シート内の様々な図形要素の大きさが一定の縮尺である、本発明による様々な実施形態に対する図形パターンの例を示す図である。
【図５】目標物体に誘導する複数の手掛かり物体を示し、図中の離間した穿孔線が破線によって表され、特に約４．５インチ幅の個々のシート及び約４インチの個々のシート長（穿孔線の間の距離）を有するトイレットペーパを表し、シート内の様々な図形要素の大きさが一定の縮尺である、本発明による様々な実施形態に対する図形パターンの例を示す図である。
【図６】目標物体に誘導する複数の手掛かり物体を示し、図中の離間した穿孔線が破線によって表され、特に約４．５インチ幅の個々のシート及び約４インチの個々のシート長（穿孔線の間の距離）を有するトイレットペーパを表し、シート内の様々な図形要素の大きさが一定の縮尺である、本発明による様々な実施形態に対する図形パターンの例を示す図である。
【図７】目標物体に誘導する複数の手掛かり物体を示し、図中の離間した穿孔線が破線によって表され、特に約４．５インチ幅の個々のシート及び約４インチの個々のシート長（穿孔線の間の距離）を有するトイレットペーパを表し、シート内の様々な図形要素の大きさが一定の縮尺である、本発明による様々な実施形態に対する図形パターンの例を示す図である。
【図８】目標物体に誘導する複数の手掛かり物体を示し、図中の離間した穿孔線が破線によって表され、特に約４．５インチ幅の個々のシート及び約４インチの個々のシート長（穿孔線の間の距離）を有するトイレットペーパを表し、シート内の様々な図形要素の大きさが一定の縮尺である、本発明による様々な実施形態に対する図形パターンの例を示す図である。
【図１】
0005422786.tif 000002
【図２】
0005422786.tif 000003
【図３】
0005422786.tif 000004
【図４】
0005422786.tif 000005
【図５】
0005422786.tif 000006
【図６】
0005422786.tif 000007
【図７】
0005422786.tif 000008
【図８】
0005422786.tif 000009